(57)【要約】【課題】光源を効率良く冷却して、三次元画像表示装置に好適な光量の大きな光源を実現する。【解決手段】後方より液晶表示パネル２３２に光を照射して画像を表示する画像表示装置の光源ユニットであって、光源ユニット２３８は、光を発光する光源２４３と、光源２４３が取り付けられた金属材からなる基板２４７と、基板２４７を収納固定すると共に、光源２４３の発光面が開口された光源収納部材２４２と、光源収納部材２４２の開口面に取り付けられて光源２４３からの光を特定の偏光にするための偏光フィルタ２４６と、基板２４７に当接状態で取り付けられるヒートパイプ３００と、を備える。【選択図】        図５
2004283304.tif 000002
【特許請求の範囲】
【請求項１】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定すると共に、前記光源の発光面が開口された光源収納部材と、
前記光源収納部材の開口面に取り付けられて前記光源からの光を特定の偏光にするための偏光フィルタと、
前記基板に当接状態で取り付けられるヒートパイプと、
を備えることを特徴とする画像表示装置の光源ユニット。
【請求項２】
前記基板は、画像表示装置の表示領域の左右方向に亘って長尺に形成されると共に、前記光源をこの左右方向に沿って配設し、
前記ヒートパイプは、前記光源に沿って前記基板に当接状態で取り付けられると共に、ヒートパイプの放熱部が前記光源収納部材から左右方向の少なくとも一端より上方へ向けて突出するように形成されることを特徴とする請求項１に記載の画像表示装置の光源ユニット。
【請求項３】
画像表示装置は、遊技機に用い、遊技機に備える遊技盤の裏面側に遊技盤裏面構成部材を介して取り付けられると共に、
前記光源収納部材から突出されたヒートパイプは、先端部が前記遊技盤裏面構成部材内に収まるように形成されることを特徴とする請求項２に記載の画像表示装置の光源ユニット。
【請求項４】
画像表示装置は、遊技機に用い、遊技機に備える遊技盤の裏面側に遊技盤裏面構成部材を介して取り付けられると共に、
前記光源収納部材から突出されたヒートパイプは、先端部が前記遊技盤の前面側まで突出するように形成されることを特徴とする請求項２に記載の画像表示装置の光源ユニット。
【請求項５】
画像表示装置は、遊技機に用い、遊技機に備える遊技盤の裏面側に遊技盤裏面構成部材を介して取り付けられると共に、
画像表示装置の前方となる遊技盤の表面側には画像表示装置の表示部を臨ませる開口窓部を有するセンターケースが配設され、
前記光源収納部材から突出されたヒートパイプは、先端部が前記センターケースの部位まで突出するように形成されることを特徴とする請求項２に記載の画像表示装置の光源ユニット。
【請求項６】
前記光源収納部材から突出されたヒートパイプは、画像表示装置のケース内に収まるように形成されることを特徴とする請求項２に記載の画像表示装置の光源ユニット。
【請求項７】
画像表示装置は、光を透過して画像を表示させる画像表示領域が形成される前側構成部と、光源ユニットを備えると共に光を反射する反射部材を備える後側構成部とから構成し、
前記後側構成部は、前記前側構成部に形成される画像表示領域の後方側に位置する上部空間と、該上部空間の下方に位置する下部空間とを形成し、
光源ユニットを前記下部空間に配設し、前記上部空間に前記反射部材を配設すると共に、前記突出されたヒートパイプを前記上部空間に向けて延設するようにしたことを特徴とする請求項６に記載の画像表示装置の光源ユニット。
【請求項８】
前記ヒートパイプは、光源ユニットから画像表示領域への光路の外側となる位置に配設するようにしたことを特徴とする請求項７に記載の画像表示装置の光源ユニット。
【請求項９】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定すると共に、前記光源の発光面が開口された光源収納部材と、
前記光源収納部材の開口面に取り付けられて前記光源からの光を特定の偏光にするための偏光フィルタと、
前記基板に当接状態で取り付けられるペルチェ素子と、
を備えることを特徴とする画像表示装置の光源ユニット。
【請求項１０】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定すると共に、前記光源の発光面が開口された光源収納部材と、
前記光源収納部材の開口面に取り付けられて前記光源からの光を特定の偏光にするための偏光フィルタと、
前記基板に当接状態で取り付けられるヒートパイプと、
前記基板に当接状態で取り付けられるペルチェ素子と、
を備えることを特徴とする画像表示装置の光源ユニット。
【請求項１１】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定して密閉状態の中空空間を形成可能とすると共に、前記光源の発光面が開口された光源収納部材と、
前記光源収納部材の開口面に取り付けられて前記光源からの光を特定の偏光にするための偏光フィルタと、
前記中空空間に充填される非導電性液体と、
を備えることを特徴とする画像表示装置の光源ユニット。
【発明の詳細な説明】
【０００１】
【発明の属する技術分野】
本発明は液晶式の画像表示装置の光源ユニットに関する。
【０００２】
【従来の技術】
従来三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１参照）。
【０００３】
【特許文献１】
特開平１０−６３１９９号公報
【０００４】
【発明が解決しようとする課題】
しかし、この従来の画像表示装置においては、光源の光量が十分ではなかった。
【０００５】
したがって、光量を増やすことが望まれるが、光量の大きなものを使用した場合、発熱量が大きくなり、また光源の前面に偏光フィルタを配設するために、光源の構造によっては熱がこもってしまうという問題があった。
【０００６】
この場合、画像表示装置のケース内を冷却することが考えられるものの、光源近傍の熱は逃げにくく、効率が悪かった。
【０００７】
また、こうした画像表示装置は遊技店の遊技機に用いることが考えられる。遊技機として、例えばパチンコ遊技機に上記の画像表示装置を設ける場合には、遊技盤の裏面側に取り付けられる。遊技盤の裏面側、つまりパチンコ遊技機の裏面側には、当該パチンコ遊技機を制御する各種の制御装置が所狭しと設置されており、これらも熱を発生するし、また、前述したパチンコ遊技機は島設備に設置され、背中合わせに他のパチンコ遊技機が設置されているし、また島設備は密封状態となっているので、島内に熱がこもっている。よって、パチンコ機では裏面側の温度が高くなりやすく、冷却を行いにくかった。
【０００８】
この発明は、このような問題点を解決することを目的とする。
【０００９】
【課題を解決するための手段】
第１の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定すると共に、前記光源の発光面が開口された光源収納部材と、前記光源収納部材の開口面に取り付けられて前記光源からの光を特定の偏光にするための偏光フィルタと、前記基板に当接状態で取り付けられるヒートパイプと、を備える。
【００１０】
第２の発明は、第１の発明において、前記基板は、画像表示装置の表示領域の左右方向に亘って長尺に形成されると共に、前記光源をこの左右方向に沿って配設し、前記ヒートパイプは、前記光源に沿って前記基板に当接状態で取り付けられると共に、ヒートパイプの放熱部が前記光源収納部材から左右方向の少なくとも一端より上方へ向けて突出するように形成される。
【００１１】
第３の発明は、第２の発明において、画像表示装置は、遊技機に用い、遊技機に備える遊技盤の裏面側に遊技盤裏面構成部材を介して取り付けられると共に、前記光源収納部材から突出されたヒートパイプは、先端部が前記遊技盤裏面構成部材内に収まるように形成される。
【００１２】
第４の発明は、第２の発明において、画像表示装置は、遊技機に用い、遊技機に備える遊技盤の裏面側に遊技盤裏面構成部材を介して取り付けられると共に、前記光源収納部材から突出されたヒートパイプは、先端部が前記遊技盤の前面側まで突出するように形成される。
【００１３】
第５の発明は、第２の発明において、画像表示装置は、遊技機に用い、遊技機に備える遊技盤の裏面側に遊技盤裏面構成部材を介して取り付けられると共に、画像表示装置の前方となる遊技盤の表面側には画像表示装置の表示部を臨ませる開口窓部を有するセンターケースが配設され、前記光源収納部材から突出されたヒートパイプは、先端部が前記センターケースの部位まで突出するように形成される。
【００１４】
第６の発明は、第２の発明において、前記光源収納部材から突出されたヒートパイプは、画像表示装置のケース内に収まるように形成される。
【００１５】
第７の発明は、第６の発明において、画像表示装置は、光を透過して画像を表示させる画像表示領域が形成される前側構成部と、光源ユニットを備えると共に光を反射する反射部材を備える後側構成部とから構成し、前記後側構成部は、前記前側構成部に形成される画像表示領域の後方側に位置する上部空間と、該上部空間の下方に位置する下部空間とを形成し、光源ユニットを前記下部空間に配設し、前記上部空間に前記反射部材を配設すると共に、前記突出されたヒートパイプを前記上部空間に向けて延設するようにする。
【００１６】
第８の発明は、第７の発明において、前記ヒートパイプは、光源ユニットから画像表示領域への光路の外側となる位置に配設するようにする。
【００１７】
第９の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定すると共に、前記光源の発光面が開口された光源収納部材と、前記光源収納部材の開口面に取り付けられて前記光源からの光を特定の偏光にするための偏光フィルタと、前記基板に当接状態で取り付けられるペルチェ素子と、を備える。
【００１８】
第１０の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定すると共に、前記光源の発光面が開口された光源収納部材と、前記光源収納部材の開口面に取り付けられて前記光源からの光を特定の偏光にするための偏光フィルタと、前記基板に当接状態で取り付けられるヒートパイプと、前記基板に当接状態で取り付けられるペルチェ素子と、を備える。
【００１９】
第１１の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定して密閉状態の中空空間を形成可能とすると共に、前記光源の発光面が開口された光源収納部材と、前記光源収納部材の開口面に取り付けられて前記光源からの光を特定の偏光にするための偏光フィルタと、前記中空空間に充填される非導電性液体と、を備える。
【００２０】
【発明の効果】
第１の発明では、光源を取り付けた基板に当接してヒートパイプを取り付けたので、光源を効率良く冷却することができる。したがって、光源に光量の大きなものを用いることができ、三次元画像表示装置に好適な光源を実現できる。
【００２１】
第２の発明では、画像表示装置の表示領域の左右方向に亘って長尺に形成した基板に光源をこの左右方向に沿って配設すると共に、この光源に沿ってヒートパイプを取り付けるので、光源の熱を的確に吸熱できる。また、ヒートパイプの放熱部を光源収納部材から左右方向の少なくとも一端より上方へ向けて突出するように形成したので、放熱性を高めることができる。
【００２２】
第３の発明では、ヒートパイプの長さを長くすることができ、放熱性を高められる。また、例えば遊技機の遊技盤裏面構成部材内にヒートシンクを配設することにより、余分なスペースを取ることなく、冷却性能を向上できる。
【００２３】
第４、第５の発明では、ヒートパイプの長さを十分に長くすることができ、放熱性を高められる。また、ヒートシンクの配設を容易にして、冷却性能を向上できる。遊技機の裏面側は島設備内であるので、熱がこもりがちであるが、遊技盤の表面は、ガラスが存在するだけで遊技者のいる空間と温度が同じ位であり、島設備内と比較して温度が低めであるので、ヒートパイプを遊技盤の前面あるいは画像表示装置の開口窓部を構成するセンタケースの部位まで突出させることで、ヒートパイプの放熱部の冷却性を高めることができ、光源を効果的に冷却可能である。
【００２４】
第６の発明では、ヒートパイプの長さを長くしても、見栄えが良く、また、ケース外にヒートパイプが露出しないので、画像表示装置の取り扱いが容易である。
【００２５】
第７の発明では、下方に配設される光源ユニットから上方にヒートパイプを延設するので、効果的に冷却できると共に、ヒートパイプの長さを長くすることができるので、冷却性を高めることができる。また、ケース外にヒートパイプが露出しないので、画像表示装置の取り扱いが容易である。
【００２６】
第８の発明では、ヒートパイプが光源ユニットからの光路に入り込まないので、画面を暗くすることがなく、安定した表示を提供することができる。
【００２７】
第９の発明では、光源を効率良く冷却することができる。
【００２８】
第１０の発明では、光源を効率良く冷却することができる。
【００２９】
第１１の発明では、光源を効率良く冷却することができる。
【００３０】
【発明の実施の形態】
以下、本発明の実施の形態について、図面に基づいて説明する。
【００３１】
図１は、画像表示装置の分解斜視図である。
【００３２】
画像表示装置２２０は、前面ユニット２２１（前側構成部）と後部ユニット２２２（後側構成部）等から構成される。
【００３３】
前面ユニット２２１は、取付ベース２２３にカバー枠２２４、レンズ保持枠を介してディフューザ（拡散板）２２６、画像表示領域を構成する液晶表示パネルユニット２２７、フレネルレンズ２２８が組み付けられる。
【００３４】
フレネルレンズ２２８は、一側面に同心円上の凹凸を有するレンズ面を有した平板状の凸レンズで、液晶表示パネルユニット２２７の後面に配設される。
【００３５】
液晶表示パネルユニット２２７は、後述するように、第１、第２偏光板２３０，２３１と液晶表示パネル２３２と微細位相差板２３３とから構成される。
【００３６】
ディフューザ２２６は、液晶表示パネルパネルユニット２２７を透過した光を上下方向に拡散する拡散手段として機能するもので、液晶表示パネルユニット２２７の前面に配設される。
【００３７】
後部ユニット２２２は、前面ユニット２２１の液晶表示パネルユニット２２７およびフレネルレンズ２２８の後方側に上部空間を、その下方に下部空間を形成する後部ケース２３７に、光源ユニット２３８、ミラー（反射部材）２４０が組み付けられる。
【００３８】
光源ユニット２３８は、後述するように、所定形状の光源収納ホルダ（以下、ホルダと称する）２４２に光源２４３（左眼用の光源、右眼用の光源）が配置され、後部ケース２３７の下部空間の後部壁２４４に、光源２４３からの発光方向が上方向で、しかも少し後方向きとなるように、後傾して、液晶表示パネルユニット２２７に対して光源２４３が左右方向に配列されるように、取り付けられる。
【００３９】
ミラー２４０は、光源ユニット２３８の光源２４３の光をフレネルレンズ２２８に照射（反射）するように、後部ケース２３７の上部空間の所定角度前傾した上半壁に取り付けられる。
【００４０】
光源２４３は、ホルダ２４２を介して、それぞれ光軸中心がフレネルレンズ２２８のほぼ中心部を通るように、フレネルレンズ２２８の中心部からほぼ等距離に位置するように、かつその焦点距離にほぼ等しい距離に来るように、配置される（光源２４３の光、フレネルレンズ２２８の中心部からの距離は、ミラー２４０を系路にする）。
【００４１】
光源２４３の前面には、後述するように右側の光源の光を左眼用の偏光の光に、左側の光源の光を右眼用の偏光の光にする偏光フィルタ２４６が配設される。
【００４２】
後部ケース２３７の下部空間の左右の壁部２２９には、後述するヒートパイプ３００の取出溝３１０が形成される。後部ケース２３７の裏面側には空冷用のファン２８６が設けられる。
【００４３】
図２は画像表示装置２２０の機能説明図である。
【００４４】
光源２４３の右側の発光素子（左眼用の光源）２４８ａならびに左側の発光素子（右眼用の光源）２４８ｂの前面には、偏光フィルタ２４６が配設されている。偏光フィルタ２４６は右側の発光素子２４８ａの前面領域（右側領域）２４６ａと左側の発光素子２４８ｂの前面領域（左側領域）２４６ｂとで透過する光の偏光が異なる（例えば、右側領域２４６ａと左側領域２４６ｂとで透過する光の偏光を９０度ずらす）ように設定されている。
【００４５】
左右の発光素子２４８ａ、２４８ｂから放射された光は、偏光フィルタ２４６によって一定の偏光の光のみが透過される。すなわち、左右の発光素子２４８ａ、２４８ｂから放射された光のうち、偏光フィルタ２４６の右側領域２４６ａを通過した光（右側の発光素子２４８ａの光）と、左側領域２４６ｂを通過した光（左側の発光素子２４８ｂの光）とが異なる偏光の光としてフレネルレンズ２２８に照射される。後述するように、偏光フィルタ２４６の右側領域２４６ａを通過した光は観察者の左目に到達し、左側領域２４６ｂを通過した光は観察者の右目に到達するようになっている。
【００４６】
偏光フィルタ２４６を透過した光はフレネルレンズ２２８に照射される。フレネルレンズ２２８は凸レンズであり、フレネルレンズ２２８では左右の発光素子２４８ａ、２４８ｂから拡散するように放射された光の光路を略平行に屈折して微細位相差板２３３を透過して、液晶表示パネル２３２に照射する。
【００４７】
このとき、微細位相差板２３３から照射される光は、上下方向に広がることがないように出射され、液晶表示パネル２３２に照射される。すなわち、微細位相差板２３３の特定の領域を透過した光が、液晶表示パネル２３２の特定の表示単位の部分を透過するようになっている。
【００４８】
また、液晶表示パネル２３２に照射される光のうち、偏光フィルタ２４６の右側領域２４６ａを通過した光と左側領域２４６ｂを通過した光とは、異なる角度でフレネルレンズ２２８に入射し、フレネルレンズ２２８で屈折して左右異なる経路で液晶表示パネル２３２から放射される。
【００４９】
液晶表示パネル２３２は、２枚のガラス基材の間に所定の角度（例えば、９０度）ねじれて配向された液晶等（図示しない）が配置されており、例えば、ＴＦＴ型の液晶表示パネルに構成されている。液晶表示パネル２３２に入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００５０】
液晶表示パネル２３２の光源２４３側には、微細位相差板２３３及び偏光板２３１（第２偏光板）が配置されており、観察者側には、偏光板２３０（第１偏光板）が配置されている。
【００５１】
微細位相差板２３３は、光透過性の基材２３４に、微細な幅の１／２波長板２３５が設けられた領域２３６ａと、１／２波長板２３５が設けられていない１／２波長板２３５の幅と同一の微細な幅の領域２３６ｂとが繰り返して設けられている。この領域２３６ａ、２３６ｂは、液晶表示パネル２３２の表示単位と略同一のピッチとして、表示単位毎（すなわち、表示単位の水平ライン毎）に交互に設けられている。
【００５２】
１／２波長板２３５は、その光学軸を偏光フィルタ２４６の右側領域２４６ａを透過する光の偏光軸と４５度傾けて配置して、右側領域２４６ａを透過した光の偏光軸を９０度回転させて出射する。すなわち、右側領域２４６ａを透過した光の偏光を９０度回転させて、左側領域２４６ｂを透過する光の偏光と等しくする。すなわち、１／２波長板２３５が設けられていない領域２３６ｂは左側領域２４６ｂを通過した、偏光板２３１と同一の偏光を有する光を透過し、１／２波長板２３５が設けられた領域２３６ａは右側領域２４６ａを通過した、偏光板２３１と偏光軸が直交した光を、偏光板２３１の偏光軸と等しくなるように回転させて出射する。
【００５３】
この微細位相差板２３３の偏光特性の繰り返しは、液晶表示パネル２３２の表示単位と略同一のピッチとして、表示単位毎（すなわち、表示単位の水平ライン毎）に透過する光の偏光が異なるようにする。よって、液晶表示パネル２３２の表示単位の水平ライン（走査線）毎に対応する微細位相差板の偏光特性が異なるようになって、水平ライン毎に出射する光の方向が異なる。
【００５４】
すなわち、微細位相差板２３３の光の位相を変化させる領域２３６ａは、偏光フィルタ２４６の右側領域２４６ａを透過した光を、左側領域２４６ｂを透過した光の偏光と等しくして透過する。また、微細位相差板２３３の光の位相を変化させない領域２３６ｂは、偏光フィルタ２４６の左側領域２４６ｂを透過した光をそのまま透過する。そして微細位相差板２３３を出射した光は、左側領域２４６ｂを透過した光と同じ偏光を有して、液晶表示パネル２３２の光源側に設けられた偏光板２３１に入射する。
【００５５】
偏光板２３１は第２偏光板として機能し、微細位相差板２３３を透過した光と同一の偏光の光を透過する偏光特性を有する。すなわち、偏光フィルタ２４６の左側領域２４６ｂを透過した光は第２偏光板２３１を透過し、偏光フィルタ２４６の右側領域２４６ａを透過した光は偏光軸を９０度回転させられて第２偏光板２３１を透過する。また、偏光板２３０は第１偏光板として機能し、偏光板２３１と９０度異なる偏光の光を透過する偏光特性を有する。
【００５６】
このような微細位相差板２３３、偏光板２３１及び偏光板２３０を液晶表示パネル２３２に貼り合わせて、微細位相差板２３３、偏光板２３１、液晶表示パネル２３２及び偏光板２３０を組み合わせて画像表示装置を構成する。このとき、液晶に電圧が加わった状態では、微細位相差板２３３を透過した光は偏光板２３０を透過する。一方、液晶に電圧が加わっていない状態では、微細位相差板２３３を透過した光は偏光が９０度ねじれて液晶表示パネル２３２から出射されるので、偏光板２３０を透過しない。
【００５７】
ディフューザ２２６は、第１偏光板２３０の前面側（観察者側）に取り付けられており、液晶表示パネルを透過した光を上下方向に拡散する。
【００５８】
図３は、画像表示装置２２０の駆動回路６００を示すブロック図である。
【００５９】
画像表示装置を駆動するための主制御回路６０１には、ＣＰＵ６１１、プログラムなどを予め格納したＲＯＭ６１２、ＣＰＵ６１１の動作時にワークエリアとして使用されるメモリであるＲＡＭ６１３が設けられている。これらのＣＰＵ６１１、ＲＯＭ６１２及びＲＡＭ６１３はバス６１８によって接続されている。このバス６１８はＣＰＵ６１１がデータの読み書きをするために使用するアドレスバス及びデータバスから構成されている。
【００６０】
また、外部との入出力を司る通信インターフェース６１５、入力インターフェース６１６及び出力インターフェース６１７が、バス６１８に接続されている。通信インターフェース６１５は、所定の通信プロトコルに従ってデータ通信を行うためのデータ入出力部である。入力インターフェース６１６、出力インターフェース６１７は、画像表示装置に表示する画像データを入出力する。
【００６１】
また、バス６１８には、表示制御回路６０２のグラフィック・ディスプレイ・プロセッサ（ＧＤＰ）６５１が接続されている。ＧＤＰ６５１は、ＣＰＵ６１１によって生成された画像データを演算し、ＲＡＭ６５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ６５１には、ＲＯＭ６５２及びＲＡＭ６５３が接続されており、ＲＡＭ６５３には、ＧＤＰ６５１が動作するためのワークエリア及び表示データを記憶するフレームバッファが設けられている。また、ＲＯＭ６５２には、ＧＤＰ６５１が動作するために必要なプログラム及びデータが記憶されている。
【００６２】
また、ＧＤＰ６５１には、ＧＤＰ６５１にクロック信号を供給する発振器６５８が接続されている。発振器６５８が生成するクロック信号は、ＧＤＰ６５１の動作周期を規定し、ＧＤＰ６５１から出力される同期信号（例えば、Ｖ＿ＳＹＮＣ、ＶＢＬＡＭＮＫ）の周期を生成する。
【００６３】
ＧＤＰ６５１から出力されるＲＧＢ信号は、γ補正回路６５９に入力されている。このγ補正回路６５９は、画像表示装置の信号電圧に対する照度の非線形特性を補正して、画像表示装置の表示照度を調整して、画像表示装置に対して出力するＲＧＢ信号を生成する。
【００６４】
合成変換装置６７０は、右目用フレームバッファ、左目用フレームバッファ及び立体視用フレームバッファが設けられており、ＧＤＰ６５１から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００６５】
この右目用画像と左目用画像との合成による立体視用画像の生成は、微細位相差板２３３の１／２波長板２３５の間隔毎に、右目用画像と左目用画像と組み合わせる。具体的には、本実施の形態の画像表示装置の微細位相差板２３３の１／２波長板２３５は液晶表示パネル２３２の表示単位の間隔で配置されているので、液晶表示パネル２３２の表示単位の横方向ライン（走査線）毎に右目用画像と左目用画像とが交互に表示されるように立体視用画像を表示する。
【００６６】
Ｌ信号出力中にＧＤＰ６５１から送信されてきた左目用画像データを左目用フレームバッファに書き込み、Ｒ信号出力中にＧＤＰ６５１から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【００６７】
画像表示装置内には液晶ドライバ（ＬＣＤ  ＤＲＶ）６８１、バックライトドライバ（ＢＬ  ＤＲＶ）６８２が設けられている。液晶ドライバ（ＬＣＤ  ＤＲＶ）６８１は、合成変換装置６７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【００６８】
バックライトドライバ６８２は、ＧＤＰ６５１から出力されたＤＴＹ＿ＣＴＲ信号に基づいてバックライト（光源２４３）に加わる電圧のデューティー比を変化させて、液晶表示パネル２３２の明るさを変化させる。
【００６９】
図４〜図６は、光源ユニット２３８の斜視図と断面図と分解斜視図である。
【００７０】
光源ユニット２３８は、光源２４３、プリズム２４５、偏光フィルタ２４６、ホルダ２４２等から構成される。
【００７１】
光源２４３は、金属材（アルミニウム等）からなる基板２４７に、所定数の発光素子（ＬＥＤ：白色発光ダイオード等）２４８が取り付けられる。
【００７２】
基板２４７は、所定長尺に形成され、中央部２５０に対して両側の周辺部２５１が所定角度前面方向（発光方向）に斜行するように折り曲げ形成されると共に、基板２４７の裏面に、後述するヒートパイプ３００を取り付けるための半円形樋状の凹溝３０１が形成される。凹溝３０１は、基板２４７の裏面中央（基板２４７の幅の中央）に、長尺方向（左右方向）に沿い長尺方向の全長に亘って形成され、発光素子２４８は、基板２４７の中央部２５０ならびに周辺部２５１の表面に、長尺方向（左右方向）に沿って凹溝３０１の形成部位の一側近傍に線状に配列して取り付けられる。
【００７３】
ヒートパイプ３００は、液体の蒸発と凝縮を利用した伝熱素子で、細長い金属パイプ（アルミニウム、銅、鋼等）の内部を真空状態にして、金属パイプの内部に吸熱→蒸発、移動、放熱→凝縮、帰還を行う所定量の作動流体を注入、密封して、あるいは細長い金属パイプの内壁に毛細管構造のウィック材を内張して、金属パイプの内部を真空状態にして、金属パイプの内部に吸熱→蒸発、移動、放熱→凝縮、帰還を行う所定量の作動流体を注入、密封して、構成される。
【００７４】
そして、このヒートパイプ３００は、所定長さの両端部３００ａ（放熱凝縮部：断熱部を含む）を除いて中間部３００ｂ（吸熱蒸発部）を、基板２４７の裏面の全長に亘って形成した半円形樋状の凹溝３０１にはめ合わせて、ロー付け等によって取り付けられる。ヒートパイプ３００の端部は、放熱部として機能し、この放熱部を上方に位置させ（突出状態）、吸熱部を下方に位置させることで、ヒートパイプ３００内部の作動流体の循環を効率良く行え、冷却効果を高めることができる。
【００７５】
基板２４７の長尺方向（左右方向）の一端には、光源２４３に電源を供給する配線を接続するためのコネクタ接続部２９０が設けられる。
【００７６】
プリズム２４５は、発光素子２４８の光の拡散を防ぎ指向性を持たせて所定角度の拡がりで出射させるように、発光素子２４８側の底面（入光面）面積が小さく偏光フィルタ側の頂面（出光面）面積が大きい略台形形状に形成されると共に、中央部２５０、周辺部２５１の発光素子２４８に対応して、中央部、周辺部のプリズム２４５毎に中央プリズム体２５３ａ、周辺プリズム体２５３ｂとして一体形成される。各プリズム体２５３ａ、２５３ｂの出光面部の両縁部にはそれぞれ取付用の突起部２５４が形成される。
【００７７】
偏光フィルタ２４６は、複数の発光素子２４８のうち、右側の発光素子２４８ａの光を左眼用の偏光の光に、左側の発光素子２４８ｂの光を右眼用の偏光の光にするもので、右側の偏光フィルタ２４６ａと左側の偏光フィルタ２４６ｂとが設けられ、光透過性の基材２５５に、互いの偏光軸を直交する向きに、貼り付けられる。本例では、ホルダ２４２の開口面が湾曲しており、この面に合わせるように偏光フィルタ２４６は可撓性を有している。
【００７８】
ホルダ２４２は、収納部２５６を形成する側部カバー部材２５７ａと、収納ベース部材２５７ｂと、カバー枠２５８とにより構成される。
【００７９】
側部カバー部材２５７ａは、左右方向に長尺に形成され、中央部に対して両側の周辺部を所定角度ホルダ前面方向に斜行するように形成され、内壁に底辺に沿って底辺から所定高さに基板２４７を支持する受け台２６０が、内壁の上部にプリズム体２５３ａ、２５３ｂを係止する係止受部２６１が形成され、内壁の両端部にはヒートパイプ３００の押さえ３０２が設けられる。
【００８０】
側部カバー部材２５７ａの中央部の外面には前面ユニット２２１の下部に取り付けられる光源カバー２６２の掛止穴と嵌合する嵌合突起２６３が形成され、両側の周辺部には端部中央に所定の換気口２６４が開設される。また、両端部には、後述する収納ベース部材２５７ｂの挿通溝３０３と嵌合可能であって、嵌合した状態でヒートパイプ３００の直径とほぼ同一の大きさ、形状（丸形）の開口を形成する押さえ３０２が収納ベース部材２５７ｂ側に向けて突出構成されている。
【００８１】
収納ベース部材２５７ｂは、後壁部２６６と底壁２６７とが中央部に対して両側の周辺部を所定角度ホルダ前面方向に斜行するように形成されると共に、後壁部２６６内に基板２４７の幅に対応して凹部２６８が形成される。底壁２６７の両側の周辺部には端部に所定の換気口２７０が開設され、後壁部２６６の凹部２６８に底壁２６７に沿って底壁２６７から所定高さに基板２４７を支持する受け溝２７１が、後壁部２６６の内壁の上部にプリズム体２５３ａ、２５３ｂを係止する係止受部２６１が形成され、両端壁部２７５にはヒートパイプ３００の挿通溝３０３が設けられる。
【００８２】
後壁部２６６の両側の周辺部の外面にはホルダ２４２を後部ケース２３７の後部壁２４４に取り付けるための取付用ボス２７２が形成され、中央部には後壁部２６６の凹部２６８の中央に基板２４７の両面領域に通じる所定の換気口２７３が開設される。この換気口２７３は、端部が後部ケース２３７の後部壁２４４に形成されたダクト口を介してケース裏面側のファン２８６に接続される。
【００８３】
カバー枠２５８は、側部カバー部材２５７ａ、収納ベース部材２５７ｂとを組み合わせてできる収納部２５６の開口面に偏光フィルタ２４６を装着するもので、複数の発光素子２４８の全てが臨むように形成された開口窓部を形成するように４辺の枠部により構成されている。開口窓部が形成される前面には、偏光フィルタ２４６が取付可能となっており、この偏光フィルタ２４６を上面に載せた状態で、偏光フィルタ２４６の左右方向への動きを規制するために起立した起立部２９１が形成され、また、上下方向への動きを規制する起立壁が設けられると共に、この起立壁の一部に偏光フィルタ２４６の抑え２７７が、枠周囲下部には側部カバー部材２５７ａ、収納ベース部材２５７ｂの外面に突設した係合受部２７８に係止する係合爪２８０が形成される。
【００８４】
図６の各部品を組み付ける手順は、まず基板２４７の発光素子２４８を配設してない側を収納ベース部材２５７ｂの凹部２６８の受け溝２７１に差し込み、基板２４７の裏面両端より突出しているヒートパイプ３００を両端壁部２７５の挿通溝３０３に嵌め、側部カバー部材２５７ａを収納ベース部材２５７ｂに、基板２４７を側部カバー部材２５７ａの受け台２６０に支持し、押さえ３０２を挿通溝３０３のヒートパイプ３００に合わせ、取り付ける。次に、基板２４７の中央部２５０の発光素子２４８に中央プリズム体２５３ａのプリズム２４５を、周辺部２５１の発光素子２４８に周辺プリズム体２５３ｂのプリズム２４５を合わせて、各プリズム体２５３ａ、２５３ｂを側部カバー部材２５７ａ、収納ベース部材２５７ｂの係止受部２６１に係止して装着する。次に、カバー枠２５８に偏光フィルタ２４６を装着して、このカバー枠２５８を、側部カバー部材２５７ａ、収納ベース部材２５７ｂの開口面に、係合爪２８０を係合受部２７８に係止して取り付ける。
【００８５】
そして、図１のように、光源ユニット２３８は、後部ケース２３７の下部空間の後部壁２４４に取り付けられると共に、光源ユニット２３８のヒートパイプ３００は、両端部３００ａが後部ケース２３７の下部空間の左右の壁部２２９に形成された取出溝３１０を介してケース外に取り出される。取り出された両端部３００ａは、後部ケース２３７の上方に向けて折り曲げ、その外面に沿って、配置される。
【００８６】
前面ユニット２２１は、後部ユニット２２２の後部ケース２３７に組み付けられる。前面ユニット２２１の下部には、後部ケース２３７の下部空間の光源ユニット２３８の光源カバー２６２が取り付けられる。
【００８７】
このように、光源２４３（発光素子２４８）を配設した基板２４７の裏面にヒートパイプ３００を取り付け、ヒートパイプ３００の両端部３００ａを光源ユニット２３８外ならびに後部ケース２３７外に延設、配置したので、光源２４３を効率良く冷却することができる。
【００８８】
基板２４７を介して光源２４３（発光素子２４８）の熱をヒートパイプ３００の作動流体が吸熱→蒸発すると共に、移動して、両端部３００ａ側にて放熱→凝縮を行う。凝縮した作動流体は、光源２４３部位に戻る。
【００８９】
ヒートパイプ３００の両端部３００ａを光源ユニット２３８外ならびに後部ケース２３７外に延設して、上方に向けて折り曲げ、配置したので、蒸発した作動流体は、両端部３００ａ側へスムーズに移動して、放熱→凝縮する。また、凝縮した作動流体は光源２４３部位にスムーズに戻る。
【００９０】
また、金属製の基板２４７の裏面に半円形樋状の凹溝３０を形成して、凹溝３０の溝面にヒートパイプ３００を当接して取り付けるので、高い伝熱性を確保できる。また、長尺の基板２４７に光源２４３（発光素子２４８）を線状に配列すると共に、その配列方向に沿ってヒートパイプ３００を取り付けるので、ヒートパイプ３００を複数系統設ける必要がなく、かつ光源２４３（発光素子２４８）の熱を的確に吸熱できる。
【００９１】
そのため、光源２４３ならびに基板２４７を効率良く十分に冷却することができ、したがって、光源の光量を十分大きくすることができ、三次元画像表示装置２２０に好適な光源を実現できる。
【００９２】
また、ヒートパイプ３００は、基板２４７と光源ユニット２３８の内部の底面との間に空間を作るように取り付けられており、換気手段による光源ユニット２３８内の空気の流れを妨げておらず、換気手段による冷却性も考慮している。
【００９３】
なお、ヒートパイプ３００には、丸型断面のものを用いたが、長円型断面のものや平板型断面のものを用いても良い。また、この場合、その形状に合わせて基板２４７の凹溝３０を形成することになるが、平板型断面の場合は凹溝３０を形成せずとも良い。
【００９４】
また、ヒートパイプ３００は、発光素子２４８の配列位置等によっては、両端部３００ａの一方を光源ユニット２３８外ならびに後部ケース２３７外に延設して、上方に向けて折り曲げ、配置するようにして良い。
【００９５】
また、本実施形態では、基板２４７の裏面側にヒートパイプ３００を取り付けた例を示したが、光源２４３と同じ側、つまり基板２４７の表面側にヒートパイプ３００を設けるようにしても良い。
【００９６】
図７、図８は、画像表示装置２２０の光学系を示す側面図、平面図である。ただし、図７中、光源２４３は中央部のみを示し、点線で表した光源２４３は見かけ上の位置である。また、図８においては、ミラー２４０を省略して、光源２４３を見かけ上の位置に、光源２４３（左右の発光素子２４８ａ、２４８ｂ）を概略的に表してある。
【００９７】
図７、図８に示すように、光源２４３の各発光素子２４８ａ、２４８ｂから放射された光は偏光フィルタ２４６を透過して放射状に広がっている。
【００９８】
右側の発光素子２４８ａから放射され偏光フィルタ２４６の右側領域２４６ａを透過した光（一点鎖線で光路の中心を示す）は、フレネルレンズ２２８に到達し、フレネルレンズ２２８で光の進行方向を変えられて、微細位相差板２３３、液晶表示パネル２３２を透過して左眼ゾーンに至る。
【００９９】
光源２４３の中央部位（中心から右側）に右側の発光素子２４８ａを連続して配置してあるため、左眼ゾーンに至る光の照度は高くなる。すなわち、中心側の発光素子２４８ａからの光はＡＬ領域に至るが、これに隣接する発光素子２４８ａからの光はそのＡＬ領域に大きく重なり合った領域に出射され、このように順に隣接する発光素子２４８ａからの光は順に重なり合った領域に出射される。したがって、左眼ゾーンに十分な光が照射されるのである。
【０１００】
左側の発光素子２４８ｂから放射され偏光フィルタ２４６の左側領域２４６ｂを透過した光（一点鎖線で光路の中心を示す）は、フレネルレンズ２２８に到達し、フレネルレンズ２２８で光の進行方向を変えられて、微細位相差板２３３、液晶表示パネル２３２を透過して右眼ゾーンに至る。
【０１０１】
光源２４３の中央部位（中心から左側）に左側の発光素子２４８ｂを連続して配置してあるため、右眼ゾーンに至る光の照度は高くなる。すなわち、中心側の発光素子２４８ｂからの光はＡＲ領域に至るが、これに隣接する発光素子２４８ｂからの光はそのＡＲ領域に大きく重なり合った領域に出射され、このように順に隣接する発光素子２４８ｂからの光は順に重なり合った領域に出射される。したがって、右眼ゾーンに十分な光が照射されるのである。
【０１０２】
液晶表示パネル２３２の走査線ピッチと、微細位相差板２３３の偏光特性の繰り返しピッチとを等しくして、液晶表示パネル２３２の走査線ピッチ毎に異なる方向から到来した光を照射し、異なる方向に光を出射する。
【０１０３】
右側の発光素子２４８ａから放射され、偏光フィルタ２４６の右側領域２４６ａを透過した光は、フレネルレンズ２２８を透過して、微細位相差板２３３に到達し、偏光を９０度回転させて出射する（右側領域２４６ａを透過した光を透過する）微細位相差板２３３の領域２３６ａを透過し、さらに、液晶表示パネル２３２を透過して、左眼ゾーンに至る。すなわち、液晶表示パネル２３２の領域２３６ａに対応する位置の表示素子によって表示された左目画像が左目に到達する。
【０１０４】
なお、この微細位相差板２３３の領域２３６ａと交互に並んで配置されている領域２３６ｂは光の偏光を変化させないので、偏光フィルタ２４６の右側領域２４６ａからの光は液晶表示パネル２３２の偏光板２３１つまり液晶表示パネル２３２の領域２３６ｂに対応する位置の表示素子（右目用画像を表示）を透過することはない。
【０１０５】
左側の発光素子２４８ｂから放射され、偏光フィルタ２４６の左側領域２４６ｂを透過した光は、フレネルレンズ２２８を透過して、微細位相差板２３３に到達し、偏光フィルタ２４６の左側領域２４６ｂの同一偏光の光を透過する微細位相差板２３３の領域２３６ｂを透過して、液晶表示パネル２３２を透過して、右眼ゾーンに至る。すなわち、液晶表示パネル２３２の領域２３６ｂに対応する位置の表示素子によって表示された右目画像が右目に到達する。
【０１０６】
なお、この微細位相差板２３３の領域２３６ｂと交互に並んで配置されている領域２３６ａは光の偏光を変化させるので、偏光フィルタ２４６の左側領域２４６ｂからの光は液晶表示パネル２３２の偏光板２３１つまり液晶表示パネル２３２の領域２３６ａに対応する位置の表示素子（左目用画像を表示）を透過することはない。
【０１０７】
一方、フレネルレンズ２２８、液晶表示パネル２３２での複屈折や散乱によって右目用画像と左目用画像とが重なるクロストークを生じるが、これに対し、左右方向にそれぞれ複数の右側発光素子２４８ａ、左側発光素子２４８ｂを配列したので、クロストークを低減することができる。
【０１０８】
右側発光素子２４８ａ、左側発光素子２４８ｂをそれぞれ複数配列したことによって、前述したように左眼ゾーン、右眼ゾーンにそれぞれ十分な光が照射される。すなわち、左眼ゾーンには十分な光度の左目画像が到達し、右眼ゾーンには十分な光度の右目画像が到達する。そのため、フレネルレンズ２２８、液晶表示パネル２３２での複屈折や散乱によって右目用画像が左目に、また左目用画像が右目に入っても、左目に到達する左目画像との光度差、また右目に到達する右目画像との光度差が相対的に大きくなり、クロストークを十分に低減できるのである。
【０１０９】
したがって、右目画像と左目画像とによって、観察者は立体画像を認識しやすくなり、両眼視差に基づく３次元知覚により容易に立体視することができる。
【０１１０】
また、光源２４３の右周辺部位に配置された複数の右側発光素子２４８ａからの光は左眼ゾーンの左側に広角（ＤＬ領域）に出射され、光源２４３の左周辺部位に配置された複数の左側発光素子２４８ｂからの光は右眼ゾーンの右側に広角（ＤＲ領域）に出射される。
【０１１１】
したがって、視野角が増大する。そのため、本画像表示装置でテレビゲーム等を行う場合あるいは本画像表示装置を遊技機（パチンコ機等）の画像表示装置に用いた場合に、遊技者だけでなく、周囲の者、大勢の人が画像を見ることができる。
【０１１２】
なお、ＤＬ領域、ＤＲ領域では立体画像を見れないが、２次元画像として見ることができる。
【０１１３】
図９は、別の実施の形態を示す。
【０１１４】
これは、光源ユニット２３８のヒートパイプ３００の両端部３００ａを画像表示装置２２０の後部ユニット２２２の後部ケース２３７内に収納するようにしたものである。
【０１１５】
この場合、光源ユニット２３８より突出したヒートパイプ３００の両端部３００ａは、光源ユニット２３８から画像表示領域（液晶表示パネルユニット２２７）への光路の外側となる位置に、つまり後部ケース２３７の左右の壁面に沿って上方（後部ケース２３７の上部空間）に向けて配設する。
【０１１６】
このようにすれば、ヒートパイプ３００の長さを長くしても、見栄えが良く、また、ケース２３７外にヒートパイプ３００が露出しないので、画像表示装置２２０の取り扱いが容易である。
【０１１７】
また、ヒートパイプ３００が光源ユニット２３８からの光路に入り込まないので、画面を暗くすることがなく、安定した表示を提供することができる。
【０１１８】
なお、前記各実施の形態において、ヒートパイプ３００の先端部にヒートシンク（放熱用の金属板）を設けて良い。
【０１１９】
図１０は、別の実施の形態を示す。
【０１２０】
図１０は画像表示装置２２０を遊技機（パチンコ機）１に取り付けた状態の部分側面図を示す。
【０１２１】
遊技領域を形成する遊技盤２の中央表面に画像表示装置２２０の表示部（画面）を臨ませる開口窓部を有するセンタケース３を配設すると共に、遊技盤２の裏面に遊技盤裏面構成部材（取付台：入賞球の案内流路を備えることもある）４を介して画像表示装置２２０を取り付ける。
【０１２２】
遊技盤裏面構成部材４は、中央部に画像表示装置２２０の表示部の開口部を有して、枠６の周囲に画像表示装置２２０の取付用ボス７を備え、枠６の内部は中空に形成している。
【０１２３】
そして、前図１のように、画像表示装置２２０の後部ユニット２２２の後部ケース２３７外に延設するように形成したヒートパイプ３００の両端部３００ａを、上方にいくらか折り曲げて、遊技盤裏面構成部材４の枠６の内部に収納する。ヒートパイプ３００の先端部にヒートシンク（放熱用の金属板）３３０を設けるようにして良い。
【０１２４】
このようにすれば、ヒートパイプ３００の長さを長くすることができ、放熱性を高められる。また、遊技盤裏面構成部材４の枠６の内部にヒートシンク（放熱用の金属板）３３０を配設することにより、余分なスペースを取ることなく、冷却性能を向上できる。
【０１２５】
なお、裏面構成部材１０は、入賞球の案内流路を備えると共に、遊技盤２に配設した大入賞口（図示しない）や普通電動入賞装置１１等の裏面側をカバーする。
【０１２６】
図１１、図１２は、別の実施の形態を示す。
【０１２７】
図１１は画像表示装置２２０を遊技機（パチンコ機）１に取り付けた状態の部分側面図、図１２は遊技機１の遊技盤２の正面図を示す。
【０１２８】
画像表示装置２２０の後部ユニット２２２の後部ケース２３７外に突出するヒートパイプ３００の両端部３００ａを、画像表示装置２２０を取り付ける遊技盤裏面構成部材（取付台：入賞球の案内流路を備えることもある）４ならびに遊技盤２を貫通して、遊技盤２の前面の所定部位あるいは遊技盤２の中央表面に配設するセンタケース３内まであるいはセンタケース３の前壁３４０（飾り壁等）まで延設するように形成する。
【０１２９】
ヒートパイプ３００の先端部にヒートシンク（放熱用の金属板）を設けるようにして良い。
【０１３０】
このようにすれば、ヒートパイプ３００の長さを十分に長くすることができ、放熱性を高められる。また、ヒートシンク（放熱用の金属板）の配設を容易にして、冷却性能を向上できる。
【０１３１】
パチンコ機の場合、遊技機１の裏面側は島設備内であるので、熱がこもりがちであるが、遊技盤２の表面は、ガラスが存在するだけで遊技者のいる空間と温度が同じ位であり、島設備内と比較して温度が低めであるので、ヒートパイプ３００を遊技盤２の前面あるいは遊技盤２の中央表面に配設するセンタケース３の部位まで突出させることで、光源２４３を効果的に冷却可能である。
【０１３２】
なお、前記各実施の形態において、光源ユニット２３８の収納ベース部材２５７ｂの換気口２７３をファン２８６のダクト口に接続せずとも良く、ファン２８６は画像表示装置２２０の後部ケース２３７内全体を換気するようにして良い。また、ファン２８６は画像表示装置２２０内の温度等に応じて駆動するようにして良い。
【０１３３】
図１３、図１４は、それぞれ別の実施の形態を示す。
【０１３４】
図１３のものは、光源ユニット２３８の光源２４３（発光素子２４８）を配設した基板２４７に、ペルチェ素子（熱電冷却素子）３５０を取り付けたものである。
【０１３５】
また、図１４のものは、前記ヒートパイプ３００とペルチェ素子（熱電冷却素子）３５０とを併用したものである。
【０１３６】
ペルチェ素子（熱電冷却素子）３５０は、基板２４７の裏面にあるいはヒートパイプ３００と反対に基板２４７の前面に取り付けるようにして良い。
【０１３７】
こうしたペルチェ素子（熱電冷却素子）３５０は、電気を流すことにより冷却作用を発生するため、駆動回路（図示しない）を設けることになるが、このようにすれば、光源２４３を効率良く冷却することができる。
【０１３８】
図１５は、それぞれ別の実施の形態を示す。
【０１３９】
これは、光源ユニット２３８の光源２４３（発光素子２４８）を配設した基板２４７の裏面側の空間（中空空間）３６０を密閉状態にして非導電性液体（絶縁性液体）３６１を充填したものである。
【０１４０】
絶縁性液体（例えば、絶縁性オイル）は、合成油（例えば、シリコーン油、菜種エステル油等）、鉱油等である。
【０１４１】
この場合、基板２４７を支持する収納ベース部材２５７ｂの受け溝２７１、側部カバー部材２５７ａの受け台２６０にシールを施して、基板２４７を固定する。また、空間（中空空間）３６０に面する換気口２６４、２７０、２７３（図６）等は設けず、密閉状態に形成する。
【０１４２】
このようにすれば、基板２４７全体に亘り光源２４３（発光素子２４８）の熱を非導電性液体３６１が吸熱して、光源２４３を効率良く冷却することができる。また、非導電性液体３６１のため、ショート等の心配はない。
【０１４３】
また、本例では、空間（中空空間）３６０を基板２４７の裏面側に形成するようにした例を示したが、光源２４３側、つまり基板２４７の表面側を密閉状態にして非導電性液体３６１を充填させるようにしても良いし、また、表面および裏面を共に密閉状態として非導電性液体３６１を充填させるようにしても良い。
【０１４４】
なお、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態の画像表示装置の分解斜視図である。
【図２】画像表示装置の機能説明図である。
【図３】画像表示装置の駆動回路のブロック図である。
【図４】光源ユニットの斜視図である。
【図５】光源ユニットの断面図である。
【図６】光源ユニットの分解斜視図である。
【図７】画像表示装置の光学系の側面図である。
【図８】画像表示装置の光学系の平面図である。
【図９】本発明の別の実施の形態の画像表示装置の分解斜視図である。
【図１０】本発明の別の実施の形態の部分側面図である。
【図１１】本発明の別の実施の形態の部分側面図である。
【図１２】遊技盤の正面図である。
【図１３】本発明の別の実施の形態の光源ユニットの断面図である。
【図１４】本発明の別の実施の形態の光源ユニットの断面図である。
【図１５】本発明の別の実施の形態の光源ユニットの断面図である。
【符号の説明】
１  遊技機
２  遊技盤
３  センタケース
４  遊技盤裏面構成部材
２２０  画像表示装置
２２１  前面ユニット（前側構成部）
２２２  後部ユニット（後側構成部）
２２３  取付ベース
２２４  カバー枠
２２６  ディフューザ（拡散板）
２２７  液晶表示パネルユニット
２２８  フレネルレンズ
２３０  第１偏光板
２３１  第２偏光板
２３２  液晶表示パネル
２３３  微細位相差板
２３５  １／２波長板
２３６ａ、２３６ｂ  領域
２３７  後部ケース
２３８  光源ユニット
２４０  ミラー（反射部材）
２４２  ホルダ
２４３  光源
２４５  プリズム
２４６  偏光フィルタ
２４７  基板
２４８  発光素子
２５３ａ  中央プリズム体
２５３ｂ  周辺プリズム体
２５７ａ  側部カバー部材
２５７ｂ  収納ベース部材
２５８  カバー枠
２６２  光源カバー
２６８  凹部
２８６  ファン
３００  ヒートパイプ
３０１  凹溝
３０３  挿通溝
３３０  ヒートシンク
３４０  前壁３４０
３５０  ペルチェ素子
３６０  空間（中空空間）
３６１  非導電性液体
６００  駆動回路
【図１】
2004283304.tif 000003
【図２】
2004283304.tif 000004
【図３】
2004283304.tif 000005
【図４】
2004283304.tif 000006
【図５】
2004283304.tif 000007
【図６】
2004283304.tif 000008
【図７】
2004283304.tif 000009
【図８】
2004283304.tif 000010
【図９】
2004283304.tif 000011
【図１０】
2004283304.tif 000012
【図１１】
2004283304.tif 000013
【図１２】
2004283304.tif 000014
【図１３】
2004283304.tif 000015
【図１４】
2004283304.tif 000016
【図１５】
2004283304.tif 000017